(57)【要約】【課題】複数の個包装された内容物を収納し再封することができ、例えば内容物の一つを使用した場合には、カートンを減容化した上で残りの内容物を収納し再封することができる減容化可能なカートンを提供すること。【解決手段】本発明のカートンは、長方形状の第１主面板４と、第１主面板４と対を成す第２主面板２と、一対の妻板８，９と、一対の側板１，３とから構成される。側板１の長手方向略中央部における側板１と第２主面板２との稜線を起点とし、側板１の短手方向を横断し第１主面板４を経由し、他方の側板３と第２主面板２との稜線を終点とするジッパーａ，ｂ，ｃ，ｄを設け、両側板１，３と第２主面板２との稜線に沿って、前記ジッパー部分から妻板８方向に直線状に形成された第１破断線Ｌ３０および第２破断線Ｌ３１と、第１破断線Ｌ３０と第２破断線Ｌ３１をつなぐ第３破断線Ｌ３２とを設けた。【選択図】図１
2013103757.tif 000002
【特許請求の範囲】
【請求項１】
長方形状の第１主面板と、第１主面板と対を成す第２主面板と、第１主面板と第２主面板の短辺間をつなぐ一対の妻板と、第１主面板と第２主面板の主面板の長辺間をつなぐ一対の側板とから構成されるカートンであって、
一方の側板の長手方向略中央部における該側板と前記第２主面板との稜線を起点とし、該側板の短手方向を横断し前記第１主面板を経由し、他方の側板と前記第２主面板との稜線を終点とするジッパーを設け、
両側板と前記第２主面板との稜線に沿って、前記ジッパー部分から一方の妻板方向に直線状に形成された第１破断線および第２破断線と、
前記第１破断線と前記第２破断線をつなぐ第３破断線とを設けたことを特徴とする、容量変更可能なカートン。
【請求項２】
前記ジッパーと、前記第１主面板および前記第２主面板と一対の前記側板との各稜線とが為す角が各々略直角であることを特徴とする請求項１記載のカートン。
【請求項３】
前記第３破断線が、凸状乃至略凸状のつまみ部又は押し込み部を形成することを特徴とする請求項１または請求項２記載のカートン。
【請求項４】
前記第２主面板上に、前記ジッパーの始点と終点とを結ぶ第１罫線を設け、当該第１罫線の第３破断線側かつ第１罫線から側板の短手方向の長さ分離れた位置に、第１罫線と平行して第２罫線を設けたことを特徴とする請求項１乃至３記載のカートン。
【請求項５】
前記ジッパーおよび各破断線によって破断し、前記第１罫線および前記第２罫線を内側に折り込んだ際に、前記第１主面板上における前記凸状乃至略凸状のつまみ部又は押し込み部が達する位置に切込みを設けたことを特徴とする請求項４記載のカートン。
【請求項６】
一方の妻板には、開封時に切り取り可能に設けられた開封用切り取り部が設けられていることを特徴とする請求項１乃至５記載のカートン。
【発明の詳細な説明】
【技術分野】
【０００１】
本発明は、内容物を使用した後に、収納されていた商品の半分又は一部を、そのまま収納した状態で、カートンを減容させて保管することができる減容化可能なカートンに関する。
【背景技術】
【０００２】
例えば、チーズ、バターなどの個包装された内容物を二個収納するカートンでは、一個取り出した後に、残りの一個をカートン内に収納したままで冷蔵庫などに保存する場合がある。従来は、このような場合に、カートンを、余分なスペースがあるままの大きさで保管したり、余分なスペースを適当に折り畳んだり、または鋏で切り取って保管していた。
【０００３】
しかしながら、上述した内容物を一個取り出した状態のカートンをそのまま保管することは、無駄な保管スペースをとるという問題があった。また、余分なスペースを折り畳んだカートンは、保管中に折り畳んだ部分が元に戻ったりするという問題があった。また、余分なスペースを鋏で切り取ったカートンは、保管中や取り扱うときに、切り口から収納する内容物がはみ出したり、落ちたりするという問題があった。
そこで、内容物の容量に合わせて減容化できるカートンが提案されている（例えば、特許文献１）。
【先行技術文献】
【特許文献】
【０００４】
【特許文献１】特開２００８−３０７５７号公報
【発明の概要】
【発明が解決しようとする課題】
【０００５】
しかしながら、特許文献１に記載の減容化可能なカートンでは、カートン中央部付近に設けたジッパー部から開封する構成となっている。そのため、例えば、二つの内容物のうち、一つを完全に使用しなかった場合には、ジッパー部が開封されてしまっているために、両方の内容物を再封することができないという問題がある。
【０００６】
そこで、本発明は、減容化しない状態で複数の個包装された内容物を収納し再封することができ、さらに、例えば内容物の一つを使用した場合には、カートンを減容化した上で残りの内容物を収納し再封することができる減容化可能なカートンを提供することを目的とする。
【課題を解決するための手段】
【０００７】
本発明は以下の構成によるものである。
（１）長方形状の第１主面板と、第１主面板と対を成す第２主面板と、第１主面板と第２主面板の短辺間をつなぐ一対の妻板と、第１主面板と第２主面板の主面板の長辺間をつなぐ一対の側板とから構成されるカートンであって、一方の側板の長手方向略中央部における該側板と前記第２主面板との稜線を起点とし、該側板の短手方向を横断し前記第１主面板を経由し、他方の側板と前記第２主面板との稜線を終点とするジッパーを設け、両側板と前記第２主面板との稜線に沿って、前記ジッパー部分から一方の妻板方向に直線状に形成された第１破断線および第２破断線と、前記第１破断線と前記第２破断線をつなぐ第３破断線とを設けたことを特徴とする、容量変更可能なカートン。
【０００８】
（２）前記ジッパーと、前記第１主面板および前記第２主面板と一対の前記側板との各稜線とが為す角が各々略直角であることを特徴とする（１）記載のカートン。
（３）前記第３破断線が、凸状乃至略凸状のつまみ部又は押し込み部を形成することを特徴とする（１）または（２）記載のカートン。
【０００９】
（４）前記第２主面板上に、前記ジッパーの始点と終点とを結ぶ第１罫線を設け、当該第１罫線の第３破断線側かつ第１罫線から側板の短手方向の長さ分離れた位置に、第１罫線と平行して第２罫線を設けたことを特徴とする（１）乃至（３）記載のカートン。
（５）前記ジッパーおよび各破断線によって破断し、前記第１罫線および前記第２罫線を内側に折り込んだ際に、前記第１主面板上における前記凸状乃至略凸状のつまみ部又は押し込み部が達する位置に切込みを設けたことを特徴とする（４）記載のカートン。
（６）一方の妻板には、開封時に切り取り可能に設けられた開封用切り取り部が設けられていることを特徴とする（１）乃至（５）記載のカートン。
【発明の効果】
【００１０】
本発明のカートンは、複数の個包装された内容物を収納し再封することができ、例えば内容物の一つを使用した場合には、カートンを減容量した上で残りの内容物を収納し再封することができる。
【図面の簡単な説明】
【００１１】
【図１】本発明の実施形態にかかるカートンのブランク状態を示す展開平面図。
【図２】前記実施形態にかかるカートンの組立完了状態を第２主面板および開封口が見えるように示す斜視図。
【図３】前記実施形態にかかるカートンの組立完了状態を前記図２で示されていない部分が見えるように示す斜視図。
【図４】前記実施形態にかかるカートンの開封途中の状態を示す斜視図。
【図５】前記実施形態にかかるカートンを開封した状態を示す斜視図。
【図６】前記実施形態にかかるカートンの減容化途中の状態を示す斜視図。
【図７】前記実施形態にかかるカートンを減容化した際の残部を示す斜視図。
【図８】前記実施形態にかかるカートンを減容化した状態を示す斜視図。
【図９】前記実施形態にかかる減容化後のカートンを再封した状態を示す斜視図。
【発明を実施するための形態】
【００１２】
本発明のカートンは、長方形状の第１主面板と、第１主面板と対を成す第２主面板と、第１主面板と第２主面板の短辺間をつなぐ一対の妻板と、第１主面板と第２主面板の主面板の長辺間をつなぐ一対の側板とから構成されるカートンであって、一方の側板の長手方向略中央部における該側板と前記第２主面板との稜線を起点とし、該側板の短手方向を横断し前記第１主面板を経由し、他方の側板と前記第２主面板との稜線を終点とするジッパーを設け、両側板と前記第２主面板との稜線に沿って、前記ジッパー部分から一方の妻板方向に直線状に形成された第１破断線および第２破断線と、前記第１破断線と前記第２破断線をつなぐ第３破断線とを設けたことを特徴とする容量変更可能なものである。
本発明においては、減容化時には、前記破断線によって、前記破断線により区画形成される部分を切り取って、減容化後のカートンとする。また、減容化後のカートンにおいては、このカートンに残る第２主面板が蓋として機能することで、減容化後のカートンを再封することができる。
【００１３】
本発明のカートンにおいては、前記ジッパーと、前記第１主面板および前記第２主面板と一対の前記側板との各稜線とが為す角が各々略直角であることが好ましい。
このようにジッパーと、第１主面板および第２主面板と一対の側板との稜線とが為す角が各々略直角であることにより、内容物に合わせた減容化が可能となる。
【００１４】
本発明のカートンにおいては、前記第３破断線が、凸状乃至略凸状のつまみ部又は押し込み部を形成しても良い。
このように第３破断線が凸状乃至略凸状のつまみ部又は押し込み部を形成することにより、第１破断線および第２破断線に沿った破断が容易となり、減容化しやすいという機能を有する。
【００１５】
本発明のカートンにおいては、前記第２主面板上に、前記ジッパーの始点と終点とを結ぶ第１罫線を設け、当該第１罫線の第３破断線側かつ第１罫線から側板の短手方向の長さ分離れた位置に、第１罫線と平行して第２罫線を設けてもよい。
このように第１罫線、第２罫線を設けることにより、減容化後のカートンに残る第２主面板を蓋として機能させる際に、容易に折込むことが可能となる。
【００１６】
本発明のカートンにおいては、前記ジッパーおよび各破断線によって破断し、前記第１罫線および前記第２罫線を内側に折り込んだ際に、前記第１主面板上における前記凸状乃至略凸状のつまみ部又は押し込み部が達する位置に切込みを設けてもよい。
このような構成により、破断線によって切り取ることで形成されるつまみ部又は押し込み部を、第１主面板に設けられた切込みに差し込むことで、減容化後のカートンを再封することができる。
なお、このような切込み部を設けず、つまみ部又は押し込み部を直接カートン内に入れ込むことで再封するという態様をとることも可能である。
【００１７】
本発明のカートンにおいては、一方の妻板には、開封時に切り取り可能に設けられた開封用切り取り部が設けても良い。
このような構成とすれば、開封時には開封用切り取り部を切り取った後に、一方の妻板を開封口として内容物を取り出すことができる。一方で、この開封用切り取り部を切り取らない限りは、一方の妻板を開封できないようにしておけば、意図しない開封を抑制できる。
【００１８】
以下、本発明の実施形態を図面に基づいて詳細に説明する。図１〜図９は、本発明のカートンを説明するための図である。
【００１９】
本実施形態にかかるカートンは、図１に示すブランクＰを折り畳んで形成することができる。このブランクＰは、板紙などのシート材を打抜き加工する等の方法により形成することができる。
このブランクＰは、折線Ｌ１，Ｌ２，Ｌ３，Ｌ４を介して第１側板１、第２主面板２、第２側板３、第１主面板４、貼着板５を順に連設し、第１側板１および第２側板３の上下両端には折線Ｌ９，Ｌ１１，Ｌ５，Ｌ７を介してそれぞれ天部耳片６，１０、底部耳片７，１１を連設し、第２主面板２の上下両端には折線Ｌ１０，Ｌ６を介してそれぞれ妻板８、妻板９を連設し、第１主面板４の上下両端には折線Ｌ１２，Ｌ８を介してそれぞれ重合妻板１２、重合妻板１３を連設している。また、妻板８の上部と妻板９の下部には、折線Ｌ１３，Ｌ１４が設けられている。
第１側板１の長手方向略中央部における第１側板１と第２主面板２との稜線を起点とし、第１側板１の短手方向を横断し第１主面板４を経由し、第２側板３と第２主面板２との稜線を終点とするジッパー用破断線Ｌ１６，Ｌ１７，Ｌ１８，Ｌ１９，Ｌ２０，Ｌ２１が穿設されている。また、ジッパー用破断線Ｌ１６，Ｌ１７，Ｌ１８，Ｌ１９，Ｌ２０，Ｌ２１と平行に、第１側板１と第２主面板２との稜線を起点とし、第１側板１の短手方向を横断し第１主面板４を経由し、第２側板３と第２主面板２との稜線を終点とするジッパー用破断線Ｌ２２，Ｌ２３，Ｌ２４，Ｌ２５，Ｌ２６，Ｌ２７が穿設されている。また、ジッパー用破断線Ｌ１６およびＬ２２の端点を結ぶジッパー用破断線Ｌ２８、ジッパー用破断線Ｌ２１およびＬ２７の端点を結ぶジッパー用破断線Ｌ２９が穿設されている。そして、これらジッパー用破断線Ｌ１６〜Ｌ２９により、ジッパーａ，ｂ，ｃ，ｄが区画形成されている。
両側板（第２側板３および第１側板１）と第２主面板との稜線に沿って、ジッパーａ，ｂ，ｃ，ｄから妻板８の方向に直線状に、それぞれ第１破断線Ｌ３０および第２破断線Ｌ３１が穿設されている。また、第１破断線Ｌ３０と前記第２破断線Ｌ３１をつなぐ第３破断線Ｌ３２が第２主面板２上に穿設されている。そして、第３破断線Ｌ３２は、破断線によって切り取ることで、略凸状の押し込み部２１を形成するように屈曲して、穿設されている。
重合妻板１２と第１主面板４の稜線に沿って直線状にジッパー用破断線Ｌ３３が穿設されている。また、重合妻板１２には、ジッパー用破断線Ｌ３３と平行に、その短手方向にわたり直線状にジッパー用破断線Ｌ３４が穿設されている。そして、ジッパー用破断線Ｌ３３，Ｌ３４により、開封時に切り取り可能に設けられた開封用切り取り部ｅが区画形成されている。
第２主面板２上には、ジッパー用破断線Ｌ１６の端点と、ジッパー用破断線Ｌ２１の端点とを結ぶ第１罫線Ｌ３５が設けられている。また、第１罫線Ｌ３５の第３破断線Ｌ３２側かつ第１罫線Ｌ３５から第１側板１の短手方向の長さ分離れた位置に、第１罫線Ｌ３５と平行して第２罫線Ｌ３６が設けられている。
第１主面板４上には、ジッパーａ，ｂ，ｃ，ｄ、並びに第１破断線Ｌ３０、前記第２破断線Ｌ３１および第３破断線Ｌ３２によって破断し、第１罫線Ｌ３５および第２罫線Ｌ３６を内側に折り込んだ際に、押し込み部２１が達する位置に切込み４１が設けられている。
【００２０】
図２は、本実施形態にかかるカートンの組立完了状態を第２主面板および開封口が見えるように示す斜視図である。また、図３は、本実施形態にかかるカートンの組立完了状態を前記図２で示されていない部分が見えるように示す斜視図である。
ブランクＰからの組立に際して、先ず折線Ｌ１およびＬ３を用いて折り曲げ、貼着板５と第１側板１の貼着により接続を行い平板な筒状を形成する。次に折線Ｌ１、Ｌ２、Ｌ３、Ｌ４を用いて紙箱を角筒状に起立させ、底部耳片７，１１、妻板９、重合妻板１３を折線Ｌ５，Ｌ７，Ｌ１４，Ｌ６，Ｌ８を用いて順に折り立て、所定位置を貼着して底部を閉鎖形成する。次いで、チーズなどの内容物を収納した後、天部耳片６，１０、妻板８、重合妻板１２を折線Ｌ９，Ｌ１１，Ｌ１３，Ｌ１０，Ｌ１２を用いて順に折り立て、所定位置を貼着し天部を閉鎖形成して組立を完了する。ここで、ジッパーａ，ｂ，ｃ，ｄと、第２主面板２と第１側板１との稜線とが為す角が略直角であり、かつ、ジッパーａ，ｂ，ｃ，ｄと、第１主面板４と第２側板３との稜線とが為す角が略直角であることが好ましい。
【００２１】
図４は、本実施形態にかかるカートンの開封途中の状態を示す斜視図である。図５は、本実施形態にかかるカートンを開封した状態を示す斜視図である。
図４に示すように、開封用切り取り部ｅを引き上げ、ジッパー用破断線Ｌ３３，Ｌ３４を用いて順に破断し、開封用切り取り部ｅをカートンから切除する。次いで、図５に示すように、妻板８をカートンから引き抜くと開口部が形成され、これを開封口として内容物を取り出すことができる。このとき、収納されている内容物が一部露出するが、内容物については、以下説明する図面を含め図示は省略している。
本実施形態においては、妻板９は重合妻板１３に貼着されており、妻板９からは容易に開封できないようになっている。そのため、開封用切り取り部ｅを切り取らない限りは、容易に開封できず、意図しない開封を抑制できる。
また、本実施形態においては、妻板８を開封口として内容物を取り出し、また、使用途中の内容物を収納し、妻板８をカートンに差し込むことで、再封することができる。
【００２２】
図６は、本実施形態にかかるカートンの減容化途中の状態を示す斜視図である。図７は、本実施形態にかかるカートンを減容化した際の残部を示す斜視図である。図８は、本実施形態にかかるカートンを減容化した状態を示す斜視図である。前述のように、妻板８を開封口として内容物を取り出し、例えば、複数の個包装された内容物の一つを完全に使用した場合には、本実施形態にかかるカートンを減容化し、残りの一部の内容物を収納して再封することができる。
カートンを減容化する場合には、先ず図６に示すように、ジッパーａ，ｂ，ｃ，ｄを引き上げ、ジッパー用破断線Ｌ１６〜Ｌ２９を用いて破断し、ジッパーａ，ｂ，ｃ，ｄをカートンから切除する。その後、第１破断線Ｌ３０、第２破断線Ｌ３１および第３破断線Ｌ３２を用いて破断し、図７に示すような残部をカートンから切除する。このようにして、図８に示すように、カートンを減容化することができる。
また、図示は省略するが、押し込み部２１を押し込んで、第３破断線Ｌ３２を切断、第１破断線Ｌ３０および第２破断線Ｌ３１を用いて破断し、その後、ジッパーａ，ｂ，ｃ，ｄを引き上げ、ジッパー用破断線Ｌ１６〜Ｌ２９を用いて順に破断し、ジッパーａ，ｂ，ｃ，ｄおよび図７に示すような残部をカートンから切除してもよい。
【００２３】
図９は、本実施形態にかかる減容化後のカートンを再封した状態を示す斜視図である。
図９に示すように、第１罫線Ｌ３５を山折りして蓋部ｆで開口部を覆うと共に、第２罫線Ｌ３６を山折りして、押し込み部２１を第１主面板４の切込み４１に重合状態とする。このようにして、減容化後のカートンに一部の内容物を収納し、再封することができる。
また、図示は省略したが、再開放に際しては、前述した再封操作の手順を逆にたどることとなる。すなわち、押し込み部２１と切込み４１との重合状態を解き、蓋部ｆをカートンから引き離すことで開口部が形成される。
【００２４】
以上のような本実施形態によれば、次のような効果が得られる。
（１）本実施形態においては、減容化時には、ジッパーａ，ｂ，ｃ，ｄ、並びに第１破断線Ｌ３０、第２破断線Ｌ３１および第３破断線Ｌ３２によって、これらの破断線により区画形成される部分を切り取って、減容化後のカートンとすることができる。また、減容化後のカートンにおいては、このカートンに残る第２主面板２の一部が蓋部ｆとして機能することで、減容化後のカートンを再封することができる。
（２）ジッパーａ，ｂ，ｃ，ｄと、第２主面板２と第１側板１との稜線とが為す角が略直角であり、かつ、ジッパーａ，ｂ，ｃ，ｄと、第１主面板４と第２側板３との稜線とが為す角が略直角であることにより、内容物に合わせた減容化が可能となる。
（３）第３破断線Ｌ３２が、略凸状の押し込み部２１を形成するようになっていることにより、第１破断線Ｌ３０および第２破断線Ｌ３１に沿った破断が容易となり、減容化しやすいという機能を有する。
（４）第２主面板２に、第１罫線Ｌ３５および第２罫線Ｌ３６を設けることにより、減容化後のカートンに残る第２主面板２の一部を蓋部ｆとして機能させる際に、容易に折込むことが可能となる。
（５）ジッパー用破断線Ｌ１６〜Ｌ２９、第１破断線Ｌ３０、第２破断線Ｌ３１および第３破断線Ｌ３２を用いて破断し、第１罫線Ｌ３５および第２罫線Ｌ３６を内側に折り込んだ際に、第１主面板４上のおける押し込み部２１が達する位置に切込み４１を設けたことにより、押し込み部２１を、第１主面板４に設けられた切込み４１に差し込むことで、減容化後のカートンを再封することができる。
（６）妻板９は重合妻板１３に貼着されており、妻板９からは容易に開封できないようになっているため、開封用切り取り部ｅを切り取らない限りは、容易に開封できず、意図しない開封を抑制できる。
【００２５】
なお、本発明は前述の実施形態に限定されるものではなく、本発明の目的を達成できる範囲での変形、改良などは本発明に含まれるものである。
例えば、前記実施形態では、ブランクＰでは、第１側板１、第２主面板２、第２側板３、第１主面板４、貼着板５を順に連設したが、貼着板５、第１側板１、第２主面板２、第２側板３、第１主面板４を順に連設してもよい。このような場合、貼着板５は第１主面板４に貼着されることになる。
前記実施形態では、第２主面板２に略凸状の押し込み部２１を形成するようにしたが、凸状のつまみ部を形成するようにしてもよい。このようなつまみ部から開封する場合には、つまみ部２１を引き上げて、第３破断線Ｌ３２を破断すればよい。
【産業上の利用可能性】
【００２６】
本発明は、チーズ、バターなどのカートンとして好適に利用することができる。
【符号の説明】
【００２７】
１…第１側板
２…第２主面板
３…第２側板
４…第１主面板
５…貼着板
６，１０…天部耳片
７，１１…底部耳片
８…妻板
９…妻板
２１…押し込み部
４１…切込み
ａ，ｂ，ｃ，ｄ…ジッパー
ｅ…開封用切り取り部
Ｐ…ブランク
Ｌ１６，Ｌ１７，Ｌ１８，Ｌ１９，Ｌ２０，Ｌ２１，Ｌ２２，Ｌ２３，Ｌ２４，Ｌ２５，Ｌ２６，Ｌ２７，Ｌ２８，Ｌ２９…ジッパー用破断線
Ｌ３０…第１破断線
Ｌ３１…第２破断線
Ｌ３２…第３破断線
Ｌ３３，Ｌ３４…ジッパー用破断線
Ｌ３５…第１罫線
Ｌ３６…第２罫線
【図１】
2013103757.tif 000003
【図２】
2013103757.tif 000004
【図３】
2013103757.tif 000005
【図４】
2013103757.tif 000006
【図５】
2013103757.tif 000007
【図６】
2013103757.tif 000008
【図７】
2013103757.tif 000009
【図８】
2013103757.tif 000010
【図９】
2013103757.tif 000011